(57)【要約】      （修正有）【課題】人工芝材の取り換えが容易であるとともに、ショット時のクラブとの衝撃やプレイヤーの体重移動によっても横ずれしたり、めくれたりすることを防ぐこのとできるパークゴルフ用スタート台を提供する。【解決手段】略矩形平板状に形成されたスタート台本体２の表面に人工芝材３を取り付ける。スタート台本体２には、人工芝材３を配置するための略矩形状の配置用凹部４が形成され、この配置用凹部４の中央部に人工芝材３を着脱可能な中央部用面ファスナー５が固着され、かつ、配置用凹部４の四隅部に人工芝材３を着脱可能な隅部用面ファスナー６が固着される。人工芝材３の裏面には、配置用凹部４に配置されたときに中央部用面ファスナー５および隅部用面ファスナー６と対向する位置に、着脱可能な芝側着脱部材が固着されている。【選択図】図２
0003157786.tif 000002
【実用新案登録請求の範囲】
【請求項１】
略矩形平板状に形成されたスタート台本体の表面に人工芝材を取り付けて構成されるパークゴルフ用スタート台であって、
前記スタート台本体には、前記人工芝材を配置するための略矩形状の配置用凹部が形成されているとともに、この配置用凹部の中央部に前記人工芝材を着脱可能な中央部用面ファスナーが固着され、かつ、前記配置用凹部の四隅部に前記人工芝材を着脱可能な隅部用面ファスナーが固着されており、
前記人工芝材の裏面には、前記配置用凹部に配置されたときに前記中央部用面ファスナーおよび前記隅部中央部用面ファスナーと対向する位置に、これらの面ファスナーに着脱可能な芝側着脱部材が固着されているパークゴルフ用スタート台。
【請求項２】
請求項１において、前記中央部用面ファスナーは、矩形枠状に形成されており、前記隅部用面ファスナーは前記四隅部の形状に合わせて略Ｌ字状に形成されているパークゴルフ用スタート台。
【請求項３】
請求項１または請求項２において、前記芝側着脱部材は、不織布により構成されているパークゴルフ用スタート台。
【考案の詳細な説明】
【技術分野】
【０００１】
本考案は、人工芝材の脱着が可能なパークゴルフ用スタート台に関するものである。
【背景技術】
【０００２】
従来のパークゴルフ用スタート台では、人工芝材がショット時のクラブとの衝突や摩擦、プレイヤーが踏ん張ることによる体重移動等の作用を受けるため、当該人工芝材がずれてしまったり、めくれたりしないように接着剤等によりスタート台本体に固着されていた。しかし、パークゴルフ用スタート台は、各ホールにおいてプレイヤーが必ず使用するものであり、人工芝自体が損傷しやすく、張り替えが必要である。このような人工芝材を張り替え作業には多くの手間と時間を費やさなければならず、さらに接着剤を剥がしたものは再利用することができない。このような問題に対して、スタート台に設けられる人工芝材を交換可能にしたパークゴルフ用スタート台が提案されている。
【０００３】
例えば、特開２００１−１７５９５号公報において、架台上のマット本体が着脱可能であるとともに、架台周縁に突設された縁部で囲われた凹部に装填されることにより面方向にずれないように設けられていることを特徴とするパークゴルフ用スタート台が提案されている（特許文献１）。この特許文献１によれば、マット本体が摩耗、損傷した場合、取り換えが容易であり、ショット時の衝撃や体重移動等によりマット本体のずれを防止でき、安心して競技できるとされている。
【先行技術文献】
【特許文献】
【０００４】
【特許文献１】特開２００１−１７５９５号公報
【考案の概要】
【考案が解決しようとする課題】
【０００５】
しかしながら、特許文献１に記載された考案においては、マット本体が架台上の凹部に詰め込まれているだけであって、固定されていないため、人工芝材と架台との間で横ずれしやすい。したがって、ショット時のクラブとの衝撃やプレイヤーの体重移動によって人工芝材が横ずれしてしまうという問題がある。また、人工芝材が凹部内に配置されていても、端からめくれやすいという問題もある。
【０００６】
本考案は、このような問題点を解決するためになされたものであって、人工芝材の取り換えが容易であるとともに、ショット時のクラブとの衝撃やプレイヤーの体重移動によっても横ずれしたり、めくれたりすることを防ぐこのとできるパークゴルフ用スタート台を提供することを目的としている。
【課題を解決するための手段】
【０００７】
本考案に係るパークゴルフ用スタート台は、略矩形平板状に形成されたスタート台本体の表面に人工芝材を取り付けて構成されるパークゴルフ用スタート台であって、前記スタート台本体には、前記人工芝材を配置するための略矩形状の配置用凹部が形成されているとともに、この配置用凹部の中央部に前記人工芝材を着脱可能な中央部用面ファスナーが固着され、かつ、前記配置用凹部の四隅部に前記人工芝材を着脱可能な隅部用面ファスナーが固着されており、前記人工芝材の裏面には、前記配置用凹部に配置されたときに前記中央部用面ファスナーおよび前記隅部部用面ファスナーと対向する位置に、これらの面ファスナーに着脱可能な芝側着脱部材が固着されている。
【０００８】
また、本考案において、前記中央部用面ファスナーは、矩形枠状に形成されており、前記隅部用面ファスナーは前記四隅部の形状に合わせて略Ｌ字状に形成されていることが機能性とコストの両面からより効果的である。
【０００９】
さらに、本考案において、前記芝側着脱部材は、不織布により構成されていることでコストを抑えつつ横ずれ防止の効果を発揮する。
【考案の効果】
【００１０】
本考案によれば、人工芝材の取り換えが容易であるとともに、ショット時のクラブとの衝撃やプレイヤーの体重移動によっても横ずれしたり、めくれたりすることを防ぐことができる。
【図面の簡単な説明】
【００１１】
【図１】本考案に係るパークゴルフ用スタート台の一実施形態を示す平面図である。
【図２】本実施形態のパークゴルフ用スタート台の図１におけるＡ２−Ａ２断面を示す縦断面図である。
【図３】本実施形態における配置用凹部に配置された中央部用面ファスナーおよび隅部用面ファスナーの一構成を示すスタート台本体の平面図である。
【図４】図２で示す縦断面図の一部を拡大した拡大断面図である。
【考案を実施するための形態】
【００１２】
以下、本考案に係るパークゴルフ用スタート台の実施形態について図面を用いて説明する。図１および図２は、本実施形態のパークゴルフ用スタート台１のおもて面を示す平面図および側方から見た縦断面図である。
【００１３】
本実施形態のパークゴルフ用スタート台１は、各ホールのスタート地点に配設されるものであり、主に、スタート台本体２と、人工芝材３とから構成される。以下、各構成について詳細に説明する。
【００１４】
スタート台本体２は、木材や金属、ＦＲＰ（Fiber Reinforced Plastics）等を用いた弾性材により略矩形平板状に形成されている。本実施形態では強度と軽量の点からＦＲＰにより構成している。また、おもて面側の中央には、人工芝材３を配置するために略矩形状に凹まされた配置用凹部４が形成されている。さらに、本実施形態におけるスタート台本体２には、配置用凹部４を囲む外周の枠部に排水溝２１が形成されており、配置用凹部４内の水を排水できるようになっている。また、前記スタート台本体２には、その下面に沿って外側へ板枠状の安定板２２が延出されており、スタート地点の地面に埋設されたときに安定して埋められるようになっている。そして、その安定板２２の四隅には、雨水等を裏面側へ排水する排水穴２３が形成されている。なお、前記スタート台本体２は、スタート地点において、おもて面と設置面とがほぼ等しい高さになるように埋設される。
【００１５】
また、図３に示すように、配置用凹部４には、人工芝材３を着脱可能に配置するための中央部用面ファスナー５と、隅部用面ファスナー６とが固着されている。これら中央部用面ファスナー５および隅部用面ファスナー６は、化学繊維等を用いた下地の布にフック状に起毛された繊維を並べることにより形成された面ファスナーであり、一般的に市販されている面ファスナーを用いてもよい。
【００１６】
中央部用面ファスナー５は、ショット時のクラブによる衝撃やプレイヤーの体重移動により人工芝材３が所定の位置からずれるのを防止するためのものであり、配置用凹部４の中央部に配置される。本実施形態における中央部用面ファスナー５は、矩形枠状に形成され、配置用凹部４の中心を取り囲むことで、横ずれを効果的に防止する。また、配置用凹部４の外枠の各辺と略平行に配置しているため、人工芝材３の一部が損傷しても剥がして向きを変えれば、方向に関係なく再利用できる。
【００１７】
また、隅部用面ファスナー６は、主に人工芝材３の端がめくれるのを防止するためのものであり、配置用凹部４の四隅近傍に設けられる。本実施形態における隅部用面ファスナー６は、配置用凹部４の四隅部の形状に合わせて略Ｌ字状に形成されており、四隅を確実に固着する。また、中央部用面ファスナー５と同様、人工芝材３をどの方向に向きを変えて配置し直しても、同様の効果を奏することができる。
【００１８】
本実施形態における人工芝材３は、図４に示すように、下地布３１と、この下地布３１のおもて面側に貼り付ける芝糸３２と、前記下地布３１の裏面に貼り付ける芝側着脱部材３３とから構成されており、配置用凹部４に装着可能な大きさの略矩形状に形成されている。なお、下地布３１は水はけをよくするために透水性を備えている。また、芝糸３２は化学繊維等により形成されている。
【００１９】
芝側着脱部材３３は、下地布３１の裏面側に固着されており、中央部用面ファスナー５および隅部用面ファスナー６のフック状に起毛された繊維と絡まり合って人工芝材３を着脱可能に設置するものである。本実施形態における芝側着脱部材３３は、いわゆるフェルト生地等の不織布により構成されており、人工芝材３の裏面全体に接着剤で固着されている。
【００２０】
なお、芝側着脱部材３３は、人工芝材３の裏面全体に設けられていなくてもよく、中央部用面ファスナー５および隅部用面ファスナー６と当接する部分にのみに固着される形態でもよい。また、芝側着脱部材３３は人工芝材３に糸等で縫いつけて固着されてもよい。さらに、芝側着脱部材３３の材料は不織布に限定されるものではなく、市販されているフック状に起毛された繊維と着脱可能なループ状の面ファスナーであってもよい。
【００２１】
次に、各構成の作用について詳細に説明する。
【００２２】
本実施形態におけるスタート台本体２は、強固で軽量なＦＲＰ材料により構成されているので輸送や持ち運びに便利である。また、スタート台本体２に設けられた排水溝２１は、雨が降った場合に、人工芝材３を透過した雨水を配置用凹部４から外側へ排水する。さらに、安定板２２は、スタート台本体２を地中に安定的に埋設する。また、安定板２２に設けられた排水穴２３は、安定板２２上に排水溝２１から排水された雨水等が溜まらないように、その雨水等をスタート台本体２の裏側へと排水する。
【００２３】
中央部用面ファスナー５および隅部用面ファスナー６は、配置用凹部４内において、人工芝材３の裏面側に設けられた芝側着脱部材３３と絡み合うことによって、人工芝材３を着脱可能に固定する。これにより人工芝材３は、各面ファスナー５，６と芝側着脱部材３３により確実に固着されるとともに、必要に応じて容易に交換や設置方向を変えることができる。
【００２４】
また、中央部用面ファスナー５は、人工芝材３の中心近傍をスタート台本体２にしっかりと固定する。本実施形態における中央部用面ファスナー５は、矩形枠状に形成されているため、配置用凹部４の各辺と平行する力に対して、強い抗力を発揮し、また回転する方向にも強い。よって、当該中央部用面ファスナー５により、人工芝材３がショット時の衝撃や体重移動により横ずれしてしまうのを防ぐことができる。これは、プレイヤーにとってもショット時のブレがなくなるのでより好ましい。
【００２５】
さらに、隅部用面ファスナー６は、人工芝材３の四隅部をスタート台本体２に固定する。本実施形態における隅部用面ファスナー６は、四隅部の形状に合わせて略Ｌ字状に形成されていることにより、各四隅部に沿った各方向の力に対して強い抗力を発揮する。よって、隅部用面ファスナー６により、四隅部から人工芝材３がめくれるのを確実に防ぐことができる。また、仮に人工芝材３の方向を変えても各方向に対する効果は変わらないため、再利用しやすい。
【００２６】
なお、本実施形態において配置用凹部４に設置される各面ファスナー５，６を全面ではなく、中央部および四隅部に設けたことにより、より着脱作業がし易くなるとともに、製造コストも抑えられるという効果もある。
【００２７】
以上のような本実施形態のパークゴルフ用スタート台１によれば、以下の効果を得ることができる。
１．人工芝材３の交換や設置方向の変換を容易に行うことができるため、製品寿命を著しく延ばすことができる。
２．ショット時のクラブによる衝撃やプレイヤーの体重移動により人工芝材３が横ずれしてしまうのを防止することができるため、芝の損傷が少なく、プレイヤーも安定したショットを行える。
３．人工芝材３の四隅部がめくれるのを防ぐことができる。
【符号の説明】
【００２８】
１  パークゴルフ用スタート台
２  スタート台本体
３  人工芝材
４  配置用凹部
５  中央部用面ファスナー
６  隅部用面ファスナー
２１  排水溝
２２  安定板
２３  排水穴
３１  下地布
３２  芝糸
３３  芝側着脱部材
【図１】
0003157786.tif 000003
【図２】
0003157786.tif 000004
【図３】
0003157786.tif 000005
【図４】
0003157786.tif 000006
【手続補正書】
【提出日】平成21年12月11日(2009.12.11)
【手続補正１】
【補正対象書類名】実用新案登録請求の範囲
【補正対象項目名】請求項１
【補正方法】変更
【補正の内容】
【請求項１】
略矩形平板状に形成されたスタート台本体の表面に人工芝材を取り付けて構成されるパークゴルフ用スタート台であって、
前記スタート台本体には、前記人工芝材を配置するための略矩形状の配置用凹部が形成されているとともに、この配置用凹部の中央部に前記人工芝材を着脱可能な中央部用面ファスナーが固着され、かつ、前記配置用凹部の四隅部に前記人工芝材を着脱可能な隅部用面ファスナーが固着されており、
前記人工芝材の裏面には、前記配置用凹部に配置されたときに前記中央部用面ファスナーおよび前記隅部用面ファスナーと対向する位置に、これらの面ファスナーに着脱可能な芝側着脱部材が固着されているパークゴルフ用スタート台。
【手続補正２】
【補正対象書類名】明細書
【補正対象項目名】０００７
【補正方法】変更
【補正の内容】
【０００７】
本考案に係るパークゴルフ用スタート台は、略矩形平板状に形成されたスタート台本体の表面に人工芝材を取り付けて構成されるパークゴルフ用スタート台であって、前記スタート台本体には、前記人工芝材を配置するための略矩形状の配置用凹部が形成されているとともに、この配置用凹部の中央部に前記人工芝材を着脱可能な中央部用面ファスナーが固着され、かつ、前記配置用凹部の四隅部に前記人工芝材を着脱可能な隅部用面ファスナーが固着されており、前記人工芝材の裏面には、前記配置用凹部に配置されたときに前記中央部用面ファスナーおよび前記隅部用面ファスナーと対向する位置に、これらの面ファスナーに着脱可能な芝側着脱部材が固着されている。